(57)【要約】【課題】強度を確保しつつ軽量小型化を図ることができると共に、取扱性を向上させることができる背負式作業機を提供すること。【解決手段】背負式作業機１において、タンク２を、架台３に対して、左右方向に平行な軸を中心に回動可能に取り付ける。また、架台３において、タンク２の下方に配置される台座部３１を設け、台座部３１において、その上面３１ａに、上方に突出し、タンク２の下端部２８，２８に対して前方から当接可能なストッパ３１ｂを設ける。そして、台座部３１の上面３１ａに設けられたストッパ３１ｂにより、タンク２が回動して架台３に当接する際に、タンク２からの衝撃を前後方向から受けるようにする。【選択図】図１
2014064546.tif 000002
【特許請求の範囲】
【請求項１】
作業者が背負いながら作業に供する背負式作業機（１）であって、
タンク（２）と、
左右方向に平行な軸を中心に前記タンク（２）が回動可能に取り付けられた架台（３）と、を備え、
前記架台（３）は、前記タンク（２）の下方に配置され、前記タンク（２）の下面（２７）と対向する上面（３１ａ）を含む台座部（３１）を有し、
前記台座部（３１）は、前記上面（３１ａ）において、上方に突出し、前記タンク（２）の下端部（２８，２８）に対して前方から当接可能なストッパ（３１ｂ）を含んでいる、
背負式作業機（１）。
【請求項２】
前記タンク（２）は、前記下面（２７）において、下方に突出し、前記ストッパ（３１ｂ）に対して後方から当接可能な足部（２８，２８）を有し、
前記ストッパ（３１ｂ）は、前記台座部（３１）の前記上面（３１ａ）において、後端縁及び左右端縁から離間した位置に設けられており、
前記足部（２８，２８）は、前記タンク（２）の前記下面（２７）において、後端縁及び左右端縁から離間した位置に設けられている、
請求項１記載の背負式作業機（１）。
【請求項３】
前記架台（３）は、前記台座部（３１）の前端部から上方に突出した前板部（３２）を有し、
前記タンク（２）は、前記前板部（３２）の上端部に対して、左右方向に平行な前記軸を中心に回動可能に取り付けられており、前記前板部（３２）の前記上端部の上方から前記前板部（３２）の前記上端部の下方に亘って上下方向に延在している、請求項１又は２記載の背負式作業機（１）。
【請求項４】
前記架台（３）は、前記台座部（３１）の左右端部からそれぞれ上方に突出した一対の側板部（３３Ｌ，３３Ｒ）を有し、
前記タンク（２）は，その左右面（２５Ｌ，２５Ｒ）それぞれにおいて、前記側板部（３３Ｌ，３３Ｒ）の周縁部に沿うように、内側に凹んだ段部（２６Ｌ，２６Ｒ）を有している、請求項１〜３のいずれか一項記載の背負式作業機（１）。
【発明の詳細な説明】
【技術分野】
【０００１】
本発明は、背負式作業機に関する。
【背景技術】
【０００２】
従来、背負式作業機として、例えば、背負式動力噴霧機が知られている。この背負式動力噴霧機は、薬液を貯留する薬液タンク、薬液タンク内の薬液を吸込み噴霧ノズルに圧送するポンプ、及び、ポンプの駆動源等を備え、これらを作業者が背負いながらポンプを駆動することで、薬液タンクから薬液を噴霧ノズルに圧送し噴霧するというものである。
【０００３】
このような背負式動力噴霧機として、架台上に薬液タンク等を配置し、薬液タンクを架台に回動可能に取り付けることで、作業者が前屈みになる背負時や噴霧作業時に、薬液タンクを架台に対して屈曲可能とし、優れた背負い心地や快適な作業性を与えるものが知られている（例えば、特許文献１参照）。具体的には、この背負式動力噴霧機では、架台は、薬液タンクの下方に離間配置された底部（台座部）と、台座部の前端部から上方に延在した板状の部分（前板部）と、台座部の左右端部からそれぞれ上方に延在した一対の板状の部分（側板部）と、を有しており、薬液タンクは、前板部の上端部に回動可能に取り付けられていると共に、その下面が一対の側板部の上縁により上下方向に支持されるようになっている。そして、台座部、前板部及び一対の側板部に囲まれた空間には、ポンプ等が配置されるようになっている。
【先行技術文献】
【特許文献】
【０００４】
【特許文献１】特開２０１２−５３６５号公報
【発明の概要】
【発明が解決しようとする課題】
【０００５】
上述の背負式動力噴霧機においては、側板部は、薬液タンクが回動して架台に当接する際に薬液タンクからの衝撃を受けるため、座屈等を起こさないように高い強度が要求される。このため、例えば側板部を厚くする等の工夫が必要となり、架台の重量増加や大型化をまねくおそれがある。
【０００６】
また、上述の背負式動力噴霧器においては、薬液タンクと架台との当接部が後方に露出しているため、当接部に物が挟まれるおそれがある。従って、取扱性の低下を招くおそれがある。
【０００７】
本発明は、このような課題を解決するために成されたものであり、強度を確保しつつ軽量小型化を図ることができると共に、取扱性を向上させることができる背負式作業機を提供することを目的とする。
【課題を解決するための手段】
【０００８】
本発明の背負式作業機（１）は、作業者が背負いながら作業に供する背負式作業機（１）であって、タンク（２）と、左右方向に平行な軸を中心にタンク（２）が回動可能に取り付けられた架台（３）と、を備え、架台（３）は、タンク（２）の下方に配置され、タンク（２）の下面（２７）と対向する上面（３１ａ）を含む台座部（３１）を有し、台座部（３１）は、上面（３１ａ）において、上方に突出し、タンク（２）の下端部（２８，２８）に対して前方から当接可能なストッパ（３１ｂ）を含んでいる。
【０００９】
本発明の背負式作業機（１）では、タンク（２）は、架台（３）に対して、左右方向に平行な軸を中心に回動可能に取り付けられている。架台（３）は、タンク（２）の下方に配置された台座部（３１）を有しており、台座部（３１）は、その上面（３１ａ）に、上方に突出し、タンク（２）の下端部（２８，２８）に対して前方から当接可能なストッパ（３１ｂ）を含んでいる。従って、タンク（２）が回動して架台（３）に当接する際に、台座部（３１）の上面（３１ａ）に設けられたストッパ（３１ｂ）により、タンク（２）からの衝撃を前後方向から受けることが可能となり、上下方向に延在した板状部材である側板部（３３Ｌ，３３Ｒ）の上縁によりタンク（２）からの衝撃を受ける場合に比して、強度の向上を図りやすくなっている。また、強度の向上に伴い、軽量小型化を図ることが可能となる。従って、強度を確保しつつ、軽量小型化を図ることができる。さらに、ストッパ（３１ｂ）がタンク（２）の下端部に対して前方から当接するため、ストッパ（３１ｂ）とタンク（２）との当接部が、後端縁より内側に位置することになり、ストッパ（３１ｂ）とタンク（２）との間に物が挟み込まれ難くなっている。従って、取扱性を向上させることができる。
【００１０】
ここで、タンク（２）は、下面（２７）において、下方に突出し、ストッパ（３１ｂ）に対して後方から当接可能な足部（２８，２８）を有していてもよく、ストッパ（３１ｂ）は、台座部（３１）の上面（３１ａ）において、後端縁及び左右端縁から離間した位置に設けられていてもよく、足部（２８，２８）は、タンク（２）の下面（２７）において、後端縁及び左右端縁から離間した位置に設けられていてもよい。この場合、タンク（２）と架台（３）との当接部である足部（２８，２８）とストッパ（３１ｂ）とが、後端縁及び左右端縁より内側に位置することになり、足部（２８，２８）とストッパ（３１ｂ）との間に物が挟み込まれ難くなっている。従って、取扱性を一層向上させることができる。
【００１１】
また、架台（３）は、台座部（３１）の前端部から上方に突出した前板部（３２）を有していてもよく、タンク（２）は、前板部（３２）の上端部に対して、左右方向に平行な軸を中心に回動可能に取り付けられており、前板部（３２）の上端部の上方から前板部（３２）の上端部の下方に亘って上下方向に延在していてもよい。この場合、タンク（２）は、回動軸が設けられた前板部（３２）の上端部よりも下方まで延在することになるため、低重心化を図ることができる。従って、作業性を向上させることができる。
【００１２】
また、架台（３）は、台座部（３１）の左右端部からそれぞれ上方に突出した一対の側板部（３３Ｌ，３３Ｒ）を有していてもよく、タンク（２）は，その左右面（３３Ｌ，３３Ｒ）それぞれにおいて、側板部（３３Ｌ，３３Ｒ）の周縁部に沿うように、内側に凹んだ段部（２６Ｌ，２６Ｒ）を有していてもよい。この場合、タンク（２）と側板部（３３Ｌ，３３Ｒ）との隙間が段部（２６Ｌ，２６Ｒ）に形成されることになるため、タンク（２）と側板部（３３Ｌ，３３Ｒ）との隙間に外部から液体等が進入し難くなっている。従って、例えば、タンク及び一対の側板部によって、モータ等の電気部品を配置する空間を画設する場合、タンク及び一対の側板部によって、電気部品を覆って外部からの液体等から保護することが可能となる。従って、耐久性を向上させることができる。
【発明の効果】
【００１３】
本発明によれば、強度を確保しつつ軽量小型化を図ることができると共に、取扱性を向上させることができる背負式作業機を提供することが可能となる。
【図面の簡単な説明】
【００１４】
【図１】本発明の実施形態に係る背負式作業機の背面図である。
【図２】図１に示す背負式作業機の前面図である。
【図３】図１に示す背負式作業機の右側面図であり、背当部材を取り除いた図である。
【図４】図１〜図３中の薬液タンクの右側面図である。
【図５】図４の後方斜視図である。
【図６】図１〜図３中の架台の後方斜視図である。
【発明を実施するための形態】
【００１５】
以下、本発明に係る背負式作業機の好適な実施形態について添付図面を参照しながら説明する。以下の説明において、上下、前後、左右の語は、背負式作業機を背負った作業者を基準とした方向を表すものとする。
【００１６】
図１は、本発明の実施形態に係る背負式作業機の背面図、図２は、背負式作業機の前面図、図３は、背当部材を取り除いた背負式作業機の右側面図である。
【００１７】
図１〜図３に示されるように、本実施形態に係る背負式動力噴霧機（背負式作業機）１は、作業者が薬液タンク２及び架台３等を背負いながら、薬液タンク２内に貯留された薬液を噴霧するためのものである。背負式動力噴霧機１は、薬液タンク２及び架台３に加えて、ポンプ４及びモータ５（図４参照）等を備えている。背負式動力噴霧機１では、薬液タンク２にホース等の配管が接続され、薬液タンク２内の薬液がポンプ４の圧力により配管の先端から噴霧されるようになっている。なお、ここでは、配管、及び、作業者が薬液タンク２及び架台３等を背負うための背負バンドは取り外されている。
【００１８】
背負式動力噴霧機１では、薬液タンク２及び架台３は、相対的な回動が可能とされ（詳しくは後述）、これにより、薬液タンク２は、前傾が可能な所謂スイングタンクとされている。薬液タンク２及び架台３の前面（図１の紙面奥側、図２の紙面手前側、図３の紙面左側）には、背負時に作業者の背中に当接し接触を和らげるべくクッション性を有する背当部材１１が取り付けられている（図２参照）。
【００１９】
図４は、薬液タンクの右側面図、図５は、薬液タンクの後方斜視図である。図４，５に示されるように、薬液タンク２は、その下側（略下半部）の前面が、後方側に向かって切り欠かれたように凹み、この凹んだ凹面２１は、その凹みが薬液タンク２の下端及び左右両端まで延びそのまま外部開放されている。凹面２１には、モータ５が固定されており、モータ５の先端には、ポンプ４が固定されている。このような構成により、ポンプ４及びモータ５は、薬液タンク２により後方から覆われるようになっている。
【００２０】
薬液タンク２は、その上側（略上半部）の前面２２が、上下左右方向に拡がる平坦面とされている。前面２２及び凹面２１同士の間の中間部分は、前面２２の下端と凹面２１の上端とを繋ぐように、後方側へ多少凹む中間凹面２３とされている。中間凹面２３には、軸受部材２４（図３参照）が、左右一対離間して固定されている。薬液タンク２は、軸受部材２４を介して、後述する架台３の前板部３２の上端部に取り付けられており（図３参照）、前板部３２の上端部の上方から前板部３２の上端部の下方に亘って上下方向に延在している。
【００２１】
薬液タンク２は、その右面２５Ｒ及び左面２５Ｌにおいて、中間凹面２３の下端からタンク２の下端に亘って、それぞれタンクの内側に向けて（図４の紙面奥側に向けて）凹んだ段部２６Ｒ及び段部２６Ｌを有している。段部２６Ｒは、右面２５Ｒと凹面２１との間に設けられた段部であり、段部２６Ｌは、左面２５Ｌと凹面２１との間に設けられた段部である。段部２６Ｒ，２６Ｌは、それぞれ後述する架台３の側板部３３Ｒ，３３Ｌの周縁部に沿った形状とされている（図３参照）。
【００２２】
薬液タンク２は、その下面２７において、下方に突出する一対の足部２８，２８を有している。足部２８，２８は、左右方向において離間配置されており、下方視において、それぞれ下面２７の後端縁及び左右端縁から離間配置されている。
【００２３】
図３に示されるように、架台３は、薬液タンク２の凹面２１（図４参照）を前方から覆うように構成されている。図６は、架台の後方斜視図である。図６に示されるように、架台３は、台座部３１、前板部３２及び一対の側板部３３Ｒ，３３Ｌを有している。
【００２４】
台座部３１は、薬液タンク２の下方に配置されているベース部であり（図１参照）、前後左右方向に拡がる上面３１ａを含み、上面３１ａは、薬液タンク２の下面２７と対向している（図１参照）。台座部３１は、薬液タンク２が回動して架台３と当接する際に、薬液タンク２からの衝撃を受けるためのストッパ３１ｂを含んでいる。
【００２５】
ストッパ３１ｂは、上面３１ａから上方に突出すると共に、前後方向及び左右方向に延在している。ストッパ３１ｂは、上方視において、上面３１ａの後端縁及び左右端縁から離間した位置に設けられている。そして、ストッパ３１ｂは、その前面が前方に延び、前板部３２に連結されている。
【００２６】
台座部３１は、薬液タンク２の足部２８，２８に対して下方から当接可能な足座３１ｃ，３１ｃを有している（図１参照）。足座３１ｃ，３１ｃは、足部２８，２８と対応するように、左右方向に離間して配置されている。足座３１ｃは、上面３１ａから上方に少し突出しており、その高さはストッパ３１ｂの高さよりも低くなっている。
【００２７】
前板部３２は、台座部３１の前端部から上方に突出している。前板部３２の上端部には、左右方向にそれぞれ延在する一対の軸部３２ａ，３２ａが設けられている。軸部３２ａは、上述の薬液タンク２の一対の軸受部材２４にそれぞれ挿入されている。これにより、薬液タンク２は、前板部３２の上端部に対して、左右方向に平行な軸を中心に回動可能に取り付けられている。
【００２８】
側板部３３Ｒ，３３Ｌは、台座部３１の左右端部からそれぞれ上方に突出している。側板部３３Ｒは、前板部３２の右端縁と連結されており、側板部３３Ｌは、前板部３２の左端縁と連結されている。側板部３３Ｒ，３３Ｌは、ポンプ４、モータ５、足部２８、ストッパ３１ｂ及び足座３１ｃ等を左右方向から覆っている。また、側板部３３Ｒは、段部２６Ｒを右方から覆い、薬液タンク２の右面２５Ｒと略面一となるようにされており、側板部３３Ｌは、段部２６Ｌを右方から覆い、左面２５Ｌと略面一となるようにされている。
【００２９】
このような背負式動力噴霧機１において、背負時にあっては、薬液タンク２と架台３との回動により、薬液タンク２の架台３に対する姿勢が変えられて屈曲され、優れた背負い心地や快適な作業性を与えることができる。
【００３０】
特に、本実施形態の背負式動力噴霧機１においては、架台３は、薬液タンク２の下方に配置された台座部３１を有しており、台座部３１は、その上面３１ａに、上方に突出し、薬液タンク２の下端部に対して前方から当接可能なストッパ３１ｂを含んでいるため、薬液タンク２が回動して架台３に当接する際に、台座部３１の上面３１ａに設けられたストッパ３１ｂにより、薬液タンク２からの衝撃を前後方向から受けることができ、従来技術のような上下方向に延在した板状部材である側板部３３Ｌ，３３Ｒの上縁部により薬液タンク２からの衝撃を受ける場合に比して、強度が向上されている。また、強度の向上に伴い、軽量小型化が図られている。従って、強度を確保しつつ、軽量小型化を図ることができる。
【００３１】
また、ストッパ３１ｂが薬液タンク２の下端部に対して前方から当接するため、ストッパ３１ｂと薬液タンク２との当接部が、後端縁よりも内側に位置することになり、薬液タンク２とストッパ３１ｂとの間に物が挟み込まれ難くなっている。従って、取扱性を向上させることができる。
【００３２】
また、背負式動力噴霧機１においては、足部２８，２８及び足座３１ｃ，３１ｃを介して、台座部３１により薬液タンク２の重量を支持することができ、従来技術のような上下方向に延在した板状部材である側板部３３Ｌ，３３Ｒの上縁部により薬液タンク２の重量を支持する場合に比して、強度が向上されている。従って、強度をさらに確保することができる。
【００３３】
また、薬液タンク２は、下面２７において、下方に突出し、ストッパ３１ｂに対して後方から当接可能な足部２８を有しており、ストッパ３１ｂは、台座部３１の上面３１ａにおいて、後端縁及び左右端縁から離間した位置に設けられており、足部２８は、薬液タンク２の下面２７において、後端縁及び左右端縁から離間した位置に設けられており、このように、薬液タンク２と架台３との当接部である足部２８とストッパ３１ｂとが、後端縁及び左右端縁よりも内側に位置しているため、薬液タンク２とストッパ３１ｂとの間に物が挟み込まれ難くなっている。従って、取扱性をさらに向上させることができる。
【００３４】
また、架台３は、台座部３１の前端部から上方に突出した前板部３２を有しており、薬液タンク２は、前板部３２の上端部に対して、左右方向に平行な軸を中心に回動可能に取り付けられており、前板部３２の上端部の上方から前板部３２の上端部の下方に亘って上下方向に延在しているため、回動軸が設けられた前板部３２の上端部よりも下方まで延在しており、低重心化が図られている。従って、作業性を向上させることができる。
【００３５】
また、架台３は、台座部３１の左右端部からそれぞれ上方に突出した一対の側板部３３Ｌ，３３Ｒを有しており、薬液タンク２は，その左右面２５Ｌ，２５Ｒそれぞれにおいて、側板部３３Ｌ，３３Ｒの周縁部に沿うように、内側に凹んだ段部２６Ｌ，２６Ｒを有し、薬液タンク２と側板部３３Ｌ，３３Ｒとの隙間が段部２６Ｌ，２６Ｒに形成されているため、薬液タンク２と側板部３３Ｌ，３３Ｒとの隙間に液体等が進入し難くなっている。そして、薬液タンク２及び側板部３３Ｌ，３３Ｒによって、モータ４等の電気部品を配置する空間が画設されているため、薬液タンク２及び側板部３３Ｌ，３３Ｒによって、モータ４等を覆って液体等から保護することができる。従って、耐久性を向上させることができる。
【００３６】
また、側板部３３Ｌ，３３Ｒにより、薬液タンク２と架台３との当接部である足部２８とストッパ３１ｂとが左右方向から覆われているため、足部２８とストッパ３１ｂとの間に物が一層挟み込まれ難くなっている。従って、取扱性を一層向上させることができる。
【００３７】
以上、本発明をその実施形態に基づき具体的に説明したが、本発明は上記実施形態に限定されるものではない。例えば、上記実施形態においては、本発明は、液体状の薬液を噴霧するための背負式動力噴霧機１に適用されているが、粉末状の薬剤を散布するための背負式動力散布機等に適用されていてもよく、スイングタンク及び架台を有する背負式作業機に適用することができる。
【符号の説明】
【００３８】
１…背負式動力噴霧機（背負式作業機）、２…薬液タンク、３…架台、２５Ｌ…薬液タンクの左面、２５Ｒ…薬液タンクの右面、２６Ｌ，２６Ｒ…段部、２７…薬液タンクの下面、２８…足部、３１…台座部、３１ａ…台座部の上面、３１ｂ…ストッパ、３２…前板部、３３Ｌ，３３Ｒ…側板部。
【図１】
2014064546.tif 000003
【図２】
2014064546.tif 000004
【図３】
2014064546.tif 000005
【図４】
2014064546.tif 000006
【図５】
2014064546.tif 000007
【図６】
2014064546.tif 000008